(57)【要約】【課題】  給紙コロと分離手段と加圧板とを用いる給紙方式において、給紙性能の低下を抑制し、安定した給紙を可能にする。【解決手段】  給紙コロ３１の軸３４又は軸受３６を軸支する軸支部３５ｃと加圧板３２の圧接方向の移動をガイドするガイド部３７と分離手段３３を支持する支持部とが相互の位置関係が規定されて一体に設けられた支持構造体３５を備えるので、給紙コロ３１と加圧板３２と分離手段３３との位置関係を正確に出すことができ、先端折れやノンフィードといった給紙不良を抑制でき、安定した給紙が可能となるようにした。【選択図】    図２
2005194082.tif 000002
【特許請求の範囲】
【請求項１】
用紙を給紙するための給紙コロと、積載用紙を前記給紙コロに圧接させる加圧板と、この加圧板よりも給紙側下流で前記給紙コロに対向接触して積載用紙を１枚ずつ分離するための分離手段と、を備える給紙装置において、
前記給紙コロを軸支する軸支部と前記加圧板の前記給紙コロに対する圧接方向の移動をガイドするガイド部と前記分離手段を支持する支持部との相互の位置関係を規定してこれらの軸支部とガイド部と支持部とを一体に有する支持構造体を備える、
ことを特徴とする給紙装置。
【請求項２】
前記支持構造体は、前記軸支部として前記給紙コロを軸支する孔を有し、前記ガイド部として前記加圧板の前記給紙コロに対する移動をガイドするように方向付けられた一対のガイドシャフトを有し、前記支持部として前記分離手段を回動自在に取り付けるための取り付け部を有する、
ことを特徴とする請求項１記載の給紙装置。
【請求項３】
前記分離手段は、前記給紙コロに対向接触するフリクションパッドである、
ことを特徴とする請求項１又は２記載の給紙装置。
【請求項４】
前記加圧板は、前記ガイドシャフトに対して給紙方向の位置が規制されて摺動自在で積載用紙の用紙幅方向に長孔形状とされたガイド孔を有する、
ことを特徴とする請求項２又は３記載の給紙装置。
【請求項５】
前記給紙コロは、その軸方向両側に当該給紙コロよりも小径のガイドコロを備え、かつ、その１回転中の所定角度位置で前記フリクションパッドに接触しない部分を持つように円形状断面の一部を切り欠いた半月形状の高摩擦係数部と、当該高摩擦係数部に対して回転方向直前の上流側位置の切り欠き部に位置して前記ガイドコロに対して同径以下の先頭部分から径が徐々に大きくなって前記高摩擦係数部につながる後尾部分を有して前記高摩擦係数部よりも相対的に摩擦係数の低い低摩擦係数部とを有する、
ことを特徴とする請求項３又は４記載の給紙装置。
【請求項６】
用紙を給紙するための給紙コロと、積載用紙を前記給紙コロに圧接させる加圧板と、この加圧板よりも給紙側下流に配設されて前記給紙コロに対向接触して積載用紙を１枚ずつ分離するための分離手段と、を備える給紙装置において、
前記加圧板の圧接方向の移動をガイドするための一対のガイドシャフトを有し、
前記加圧板は、前記ガイドシャフトに対して給紙方向の位置が規制されて摺動自在で積載用紙の用紙幅方向に長孔形状とされたガイド孔を有する、
ことを特徴とする給紙装置。
【請求項７】
一対の前記ガイドシャフトに対する一対の前記ガイド孔のうち、一方の長孔形状の程度が他方の長孔形状の程度より大きい、
ことを特徴とする請求項４又は６記載の給紙装置。
【請求項８】
用紙を給紙するための給紙コロと、積載用紙を前記給紙コロに圧接させる加圧板と、この加圧板よりも給紙側下流に配設されて前記給紙コロに対向接触して積載用紙を１枚ずつ分離するための分離手段と、を備える給紙装置において、
前記給紙コロは、その軸方向両側に当該給紙コロよりも小径のガイドコロを備え、かつ、その１回転中の所定角度位置で前記フリクションパッドに接触しない部分を持つように円形状断面の一部を切り欠いた半月形状の高摩擦係数部と、当該高摩擦係数部に対して回転方向直前の上流側位置の切り欠き部に位置して前記ガイドコロに対して同径以下の先頭部分から径が徐々に大きくなって前記高摩擦係数部につながる後尾部分を有して前記高摩擦係数部よりも相対的に摩擦係数の低い低摩擦係数部とを有する、
ことを特徴とする給紙装置。
【請求項９】
請求項１ないし８の何れか一記載の給紙装置と、
この給紙装置により給紙された用紙に対して画像形成を行う画像形成部と、
を備えることを特徴とする画像形成装置。
【発明の詳細な説明】
【技術分野】
【０００１】
本発明は、給紙装置及びこの給紙装置を備える複写機、プリンタ等の画像形成装置に関する。
【背景技術】
【０００２】
従来、この種の給紙装置の一例として、図９（ａ）に示すようなフリクションパッド分離方式の給紙装置がある。即ち、加圧板１００を付勢手段（図示せず）により給紙コロ１０１側に付勢することにより積載された用紙Ｐを給紙コロ１０１に圧接させ、この状態で給紙コロ１０１の回転に伴い繰り出される用紙Ｐをその下流側位置で給紙コロ１０１とフリクションパッド１０２とのクサビ状の対向接触部分を通すことにより、分離作用を呈示させ、１枚ずつに分離して給紙させるものである。１０３はフリクションパッド台、１０４はフリクションパッド１０２を給紙コロ１０１に圧接させるばね、１０５は給紙コロ１０１の軸である。分離手段として、フリクションパッド１０２に代えて分離コロを用いる方式もある。
【０００３】
このようなフリクションパッド分離方式の給紙装置において、用紙Ｐの積載枚数に依らずにフリクションパッド１０２と用紙との当接角を一定にする方式として、加圧板１００を平行にスライドさせる方式があり、その一例として左右一対のガイドシャフトを利用する方式がある。
【０００４】
また、この種の給紙装置として、給紙コロ１０１の形状を半月コロ形状とし、その軸方向両側に一対のガイドコロを備え、かつ、駆動伝達系にカム、１回転クラッチ等を備えることで、給紙コロ１０１の１回転と同期させて加圧板１００を昇降させるようにした給紙装置の例もある。この場合、ガイドコロは給紙コロよりも小径で構成され、給紙コロの１回転で用紙を下流側の搬送ローラ等に渡した後、フリクションパッドとガイドコロとを圧接させることで、次用紙の重送を防止する仕組みとされている。
【発明の開示】
【発明が解決しようとする課題】
【０００５】
ところが、従来のフリクションパッド分離方式の給紙装置の場合、給紙コロ１０１の軸１０５や、フリクションパッド１０２が接着されるフリクションパッド台１０３や、加圧板１００が各々異なる部品に取り付けられており、これらの部材間の位置精度としては、部品の数だけその寸法誤差が大きくなっている。これらの部材間の位置関係が正確に出ていないと、フリクションパッド分離方式では、色々な問題が発生し、給紙性能に支障を来たす。
【０００６】
例えば、図９（ａ）はこれらの部材間の位置関係が精度よく出ている場合の理想時の様子を示すのに対して、用紙Ｐと給紙コロ１０１との位置関係が正確に出ていない場合には、図９（ｂ）に示すように、加圧板１００上に積載された用紙Ｐ中の最終用紙付近になるとその用紙Ｐの進む方向が狙いとする方向に対して下向きとなって出てしまい、フリクションパッド台１０３の顎部に鈍角で当ってしまい、先端折れやノンフィードが発生しやすい不具合がある。また、給紙コロ１０１とフリクションパッド台１０３との位置関係が正確に出ていない場合には、図９（ｃ）に示すように、用紙Ｐのフリクションパッド１０２への進入角度が変わってしまうのに加えて、フリクションパッド台１０３と給紙コロ１０１との間の隙間もなくなってしまい、やはり、先端折れやノンフィードが発生しやすい不具合がある。同様に、フリクションパッド台１０３と加圧板１００との位置関係が正確に出ていないと、本来的にはこれらの間の隙間は少ないほどよいので、加圧板１００の上下動時に両者が衝突し、破損してしまう不具合がある。これらの結果として、給紙性能を損なってしまう不具合がある。
【０００７】
また、加圧板を一対のガイドシャフトを利用して平行にスライドさせることにより用紙Ｐの枚数に関係なくフリクションパッド１０２に対する用紙Ｐの当接角を一定にする方式に関しては、加圧板１００に反りなどの変形が生じた場合に、加圧板１００のガイドシャフトを受ける部分（ガイド孔）がガイドシャフトと平行でなくなり、かじってしまい、昇降動作がスムーズにならなくなってしまい、給紙圧が狙い通りに出ず、給紙コロと加圧板との圧接具合が悪くなったり、給紙圧偏差が生じたりし、結果として、給紙性能を損なってしまう不具合がある。特に、加圧板を低コストな樹脂製として構成した場合には、成型時の反りが発生しやすく、このような不具合が発生しやすくなる。
【０００８】
また、半月状の給紙コロ、ガイドコロ等を用いるとともに、その１回転に同期させて加圧板を昇降させる方式に関しては、本来的に、フリクションパッド分離方式にあっては、給紙コロ（又はガイドコロ）とフリクションパッドとで形成されるクサビ状の形状部分で積載された用紙Ｐの重なりを崩し、分離効果を上げている（いわゆるプレ分離）が、ガイドコロが給紙コロよりも小径であるため、ガイドコロとフリクションパッドとのニップ部で重なりが崩されて止まっている次の用紙先端が、次の給紙開始に伴い半月状の給紙コロがフリクションパッドを押し下げ始める時に押さえ作用がなくフリーになってしまうため、折角得られていたプレ分離効果がなくなってしまい、結果として、重送しやすく給紙性能を損なってしまう不具合がある。
【０００９】
本発明の目的は、給紙コロと分離手段と加圧板とを用いる給紙方式において、給紙性能の低下を抑制し、安定した給紙を可能にすることである。
【課題を解決するための手段】
【００１０】
請求項１記載の発明の給紙装置は、用紙を給紙するための給紙コロと、積載用紙を前記給紙コロに圧接させる加圧板と、この加圧板よりも給紙側下流で前記給紙コロに対向接触して積載用紙を１枚ずつ分離するための分離手段と、を備える給紙装置において、前記給紙コロを軸支する軸支部と前記加圧板の前記給紙コロに対する圧接方向の移動をガイドするガイド部と前記分離手段を支持する支持部との相互の位置関係を規定してこれらの軸支部とガイド部と支持部とを一体に有する支持構造体を備える。
【００１１】
請求項２記載の発明は、請求項１記載の給紙装置において、前記支持構造体は、前記軸支部として前記給紙コロを軸支する孔を有し、前記ガイド部として前記加圧板の前記給紙コロに対する移動をガイドするように方向付けられた一対のガイドシャフトを有し、前記支持部として前記分離手段を回動自在に取り付けるための取り付け部を有する。
【００１２】
請求項３記載の発明は、請求項１又は２記載の給紙装置において、前記分離手段は、前記給紙コロに対向接触するフリクションパッドである。
【００１３】
請求項４記載の発明は、請求項２又は３記載の給紙装置において、前記加圧板は、前記ガイドシャフトに対して給紙方向の位置が規制されて摺動自在で積載用紙の用紙幅方向に長孔形状とされたガイド孔を有する。
【００１４】
請求項５記載の発明は、請求項３又は４記載の給紙装置において、前記給紙コロは、その軸方向両側に当該給紙コロよりも小径のガイドコロを備え、かつ、その１回転中の所定角度位置で前記フリクションパッドに接触しない部分を持つように円形状断面の一部を切り欠いた半月形状の高摩擦係数部と、当該高摩擦係数部に対して回転方向直前の上流側位置の切り欠き部に位置して前記ガイドコロに対して同径以下の先頭部分から径が徐々に大きくなって前記高摩擦係数部につながる後尾部分を有して前記高摩擦係数部よりも相対的に摩擦係数の低い低摩擦係数部とを有する。
【００１５】
請求項６記載の発明の給紙装置は、用紙を給紙するための給紙コロと、積載用紙を前記給紙コロに圧接させる加圧板と、この加圧板よりも給紙側下流に配設されて前記給紙コロに対向接触して積載用紙を１枚ずつ分離するための分離手段と、を備える給紙装置において、前記加圧板の圧接方向の移動をガイドするための一対のガイドシャフトを有し、前記加圧板は、前記ガイドシャフトに対して給紙方向の位置が規制されて摺動自在で積載用紙の用紙幅方向に長孔形状とされたガイド孔を有する。
【００１６】
請求項７記載の発明は、請求項４又は６記載の給紙装置において、一対の前記ガイドシャフトに対する一対の前記ガイド孔のうち、一方の長孔形状の程度が他方の長孔形状の程度より大きい。
【００１７】
請求項８記載の発明の給紙装置は、用紙を給紙するための給紙コロと、積載用紙を前記給紙コロに圧接させる加圧板と、この加圧板よりも給紙側下流に配設されて前記給紙コロに対向接触して積載用紙を１枚ずつ分離するための分離手段と、を備える給紙装置において、前記給紙コロは、その軸方向両側に当該給紙コロよりも小径のガイドコロを備え、かつ、その１回転中の所定角度位置で前記フリクションパッドに接触しない部分を持つように円形状断面の一部を切り欠いた半月形状の高い高摩擦係数部と、当該高摩擦係数部に対して回転方向直前の上流側位置の切り欠き部に位置して前記ガイドコロに対して同径以下の先頭部分から径が徐々に大きくなって前記高摩擦係数部につながる後尾部分を有して前記高摩擦係数部よりも相対的に摩擦係数の低い低摩擦係数部とを有する。
【００１８】
請求項９記載の発明の画像形成装置は、請求項１ないし８の何れか一記載の給紙装置と、この給紙装置により給紙された用紙に対して画像形成を行う画像形成部と、を備える。
【発明の効果】
【００１９】
請求項１ないし３記載の発明によれば、給紙コロを軸支する軸支部と加圧板の給紙コロに対する圧接方向の移動をガイドするガイド部と分離手段を支持する支持部との相互の位置関係を規定してこれらを一体に有する支持構造体を備えるので、給紙コロと加圧板と分離手段との位置関係を正確に出すことができ、先端折れやノンフィードといった給紙不良を抑制でき、安定した給紙を可能にすることができる。
【００２０】
請求項４，６，７記載の発明によれば、加圧板の給紙コロに対する圧接方向の移動をガイドするガイドシャフトに対して給紙方向の位置が規制されて摺動自在で積載用紙の用紙幅方向に長孔形状とされたガイド孔を有するので、加圧板が変形して反ってしまうようなことがあっても、当該ガイド孔の長孔形状により吸収することができ、よって、給紙コロと加圧板との圧接具合を良好に維持し、給紙圧偏差を抑制することができ、安定した給紙を可能にすることができる。
【００２１】
請求項５，８記載の発明によれば、両側に小径のガイドコロを有して、一部を切り欠いた半月形状の高摩擦係数部からなる給紙コロに関して、当該高摩擦係数部に対して回転方向直前の上流側位置の切り欠き部に位置してガイドコロに対して同径以下の先頭部分から径が徐々に大きくなって高摩擦係数部につながる後尾部分を有して高摩擦係数部よりも相対的に摩擦係数の低い低摩擦係数部とを有するので、高摩擦係数部が分離手段に接触する直前のタイミングにおいては切欠部分であっても低摩擦係数部が用紙を押さえながら高摩擦係数部による圧接給紙に移行するので、プレ分離効果を損なうことなく、重送を防止することができ、よって、安定した給紙を可能にすることができる。
【００２２】
請求項９記載の発明によれば、請求項１ないし８の何れか一記載の給紙装置を備えるので、安定した給紙性能の下に画像形成動作を行うことができる。
【発明を実施するための最良の形態】
【００２３】
本発明を実施するための最良の形態を図面に基づいて説明する。
【００２４】
本実施の形態の給紙装置を備える画像形成装置は、電子写真方式を利用したタンデム型のフルカラー画像形成装置への適用例を示す。図１はこのフルカラー画像形成装置の全体的な構成を概略的に示す縦断正面図であり、装置本体１の略中央には画像形成部（プリンタエンジン）２が配設され、その直下には給紙部３が配設されている。給紙部３には例えば各々用紙収納部となる４段の給紙カセット４ａ〜４ｄが設けられている。これらの給紙カセット４ａ〜４ｄは装置本体１に対して前後方向（図面上、紙面表裏方向）に引出・収納自在に設けられている。また、画像形成部２の上方には、原稿画像を読取る読取り部（スキャナ）５が配設されている。さらに、画像形成部２の用紙搬送方向下流側（図面上、左側）には画像形成済みの用紙Ｐが排紙される排紙トレイ７が設けられている。なお、画像形成部２の用紙搬送方向上流側（図面上、右側）には用紙Ｐを手差し給紙させるための用紙収納部である手差しトレイ８が設けられている。
【００２５】
ここに、画像形成部２では、無端状のベルトからなる中間転写ベルト９の上方に、イエロー（Ｙ）、マゼンタ（Ｍ）、シアン（Ｃ）、ブラック（Ｋ）用の複数の作像部１０が並置されている。各々の作像部１０では、各色毎に設けられたドラム状の感光体１１の外周に沿って、帯電装置１２、露光部、現像装置１３、クリーニング装置１４などの電子写真プロセス部材ないしは装置が配置されている。帯電装置１２は、感光体１１の表面に帯電処理を行い、露光部では、画像情報を感光体１１表面にレーザ光で照射する露光装置１５からのレーザ光が照射される。現像装置１３は、感光体１１の表面に露光されて形成された静電潜像をトナー現像して可視化し、クリーニング装置１４は転写後に感光体１１の表面に残留したトナーを除去回収する。
【００２６】
作像プロセスとしては、中間転写ベルト９上に各色毎の画像が作像され、中間転写ベルト９上に４色が重畳されて１つのカラー画像が形成される。その際、最初に、イエロー（Ｙ）の作像部で、イエロー（Ｙ）のトナーを現像し、中間転写ベルト９に転写する。次に、マゼンタ（Ｍ）の作像部で、マゼンタのトナーを現像し、中間転写ベルト９に転写する。次に、シアン（Ｃ）の作像部で、シアンのトナーを現像し、中間転写ベルト９上に転写し、最後に、ブラック（Ｋ）のトナーを現像し、中間転写ベルト９上に転写し、４色が重畳されたフルカラーのトナー画像が形成される。そして、中間転写ベルト９上に転写された４色のトナー像は、給紙部３から給紙されてきた用紙Ｐに転写装置１６で転写され、定着装置１７によって定着された後、排紙ローラ１８によって排紙トレイ７に排紙される。一方、フルカラーのトナー像が転写された後、中間転写ベルト９の表面に残留したトナーはクリーニング装置２１によって除去回収される。
【００２７】
各用紙トレイ４ａ〜４ｄ、手差しトレイ８とレジストローラ１９との間は、搬送路２０により連結されており、任意の給紙場所から給紙された用紙Ｐは搬送路２０を介してレジストローラ１９まで搬送される。ここに、レジストローラ１９では用紙Ｐの搬送を一旦停止させ、中間転写ベルト９上のトナー像と用紙Ｐの先端との位置関係が所定の位置関係になるよう、タイミングをとって用紙Ｐを再度送り出す。レジストローラ１９は手差しトレイ８から搬送されてくる用紙Ｐに対しても同様に機能する。
【００２８】
ここに、給紙装置は給紙カセット４ａ〜４ｄ、手差しトレイ８の何れにも適用可能であるが、本実施の形態としては、手差しトレイ８に対する給紙装置３０への適用例として説明する。まず、図２ないし図５を参照して第１の特徴的な構成例について説明する。図２はカバーを兼ねる開閉自在な手差しトレイ８を開放させた状態で当該給紙装置３０部分を抽出して示す斜視図、図３はその手差しトレイ８部分を取り外して示す斜視図、図４は給紙コロ等を省略して中央部分を拡大して示す斜視図、図５は給紙コロ等を省略して示す斜視図である。
【００２９】
本実施の形態の手差し給紙用の給紙装置３０は、フリクションパッド分離方式の給紙装置として構成され、基本的には、手差しトレイ８上に積載された用紙Ｐを給紙するための給紙コロ３１と、手差しトレイ８の下端部付近に位置させて設けられて積載用紙Ｐを給紙コロ３１に圧接させる昇降自在な樹脂製の底板（加圧板）３２と、この加圧板３２よりも給紙側下流で給紙コロ３１に対向接触して積載用紙Ｐを１枚ずつ分離するための分離手段としてのフリクションパッド３３とを備えている。フリクションパッド３３の材質としては、ゴムやゴムコルク、発泡ウレタン、熱可塑性エラストマなどの高摩擦係数の素材からなる。
【００３０】
ここに、給紙コロ３１及びフリクションパッド３３は積載用紙Ｐの用紙幅方向のほぼ中央に位置するものであり、給紙コロ３１にはその用紙幅方向に延びる給紙コロ軸（軸）３４が一体化されて設けられている。この給紙コロ軸３４の両端は、搬送ガイド板３５ａを兼ねるように樹脂により一体に形成されて用紙幅方向全幅に渡る長さを有する支持構造体３５の両側の立上り側面３５ｂに形成された軸支部としての孔３５ｃに軸受３６を介して回転自在に取り付けられている。また、支持構造体３５において搬送ガイド板３５ａの給紙コロ３１に対応する部分は開口され、当該開口部分に分離手段としてのフリクションパッド台３３ａが配設されるように構成されている。このフリクションパッド台３３ａは給紙コロ３１に対向接触する部分に平板状のフリクションパッド３３が両面テープを介して接着されるもので、給紙方向下流側の両端に設けられた支軸３３ｂ部分を回動自在に支持する支持部としての取り付け部３５ｄが開口側面３５ｅに形成されている。この取り付け部３５ｄはフリクションパッド台３３ａの支軸３３ｂが給紙コロ３１の給紙コロ軸３４と平行になるように当該支軸３３ｂを支持するように設定されている。このようなフリクションパッド台３３ａの底面側には支持構造体３５との間に圧縮スプリング３９（図８参照）が介在され、フリクションパッド台３３ａを介してフリクションパッド３３を給紙コロ３１に圧接させる構成とされている。
【００３１】
また、手差しトレイ８上に積載された用紙Ｐの給紙先端側を給紙コロ３１に圧接させるための加圧板３２の当該給紙コロ３１に対する圧接方向の移動（昇降動作）をガイドするように方向付けられたガイド部としての左右一対のガイドシャフト３７ａ，３７ｂが支持構造体３５の底辺部に形成された孔３５ｆに圧入して設けられている。これらの一対のガイドシャフト３７ａ，３７ｂは給紙動作を妨げないように用紙幅方向の両側に配置されており、かつ、これらのガイドシャフト３７ａ，３７ｂを利用して加圧板３２と支持構造体３５の底辺部との間には当該加圧板３２を給紙コロ３１側に加圧付勢するための円錐状の圧縮スプリング３８が介在されている。加圧板３２にあってはこれらの左右一対のガイドシャフト３７に対して摺動自在な左右一対のガイド孔３２ａ，３２ｂが形成されている。
【００３２】
支持構造体３５においては、孔３５ｃ、取り付け部３５ｄ及びガイドシャフト３７（孔３５ｆ）の位置関係は、給紙コロ３１とフリクションパッド３３と加圧板３２との位置関係が相互に適正（図９（ａ）に示すような適正な位置関係）となるように規定されている。
【００３３】
よって、本実施の形態によれば、まず、位置精度が悪いとノンフィードや先端折れ等の不具合を生じ、給紙性能が低下するという問題が発生する部品である給紙コロ３１、加圧板３２、フリクションパッド３３の支持・位置決めを、一つの支持構造体３５により行うようにしたので、これらの部品間の位置精度を出すことができ、ノンフィード、先端折れ等の不具合を低減させ、良好なる給紙性能を発揮させることができる。
【００３４】
次いで、図６を参照して第２の特徴的な構成例について説明する。図６は加圧板３２部分を拡大して示す平面図である。本実施の形態において、左右一対のガイドシャフト３７ａ，３７ｂに摺動自在に嵌合して圧接方向にガイドされる左右一対のガイド孔３２ａ，３２ｂの孔形状は真円形状ではなく、給紙方向にはガイドシャフト３７ａ，３７ｂの直径と同等でその位置が規制されるとともに、用紙幅方向にはガイドシャフト３７ａ，３７ｂの直径よりも長くされた長孔形状とされている。より詳細には、本実施の形態の手差し給紙は、右側基準（奥側基準）とされており、ガイド孔３２ａ，３２ｂの長孔程度Ｄａ，Ｄｂは、図６に示すように、右側のガイド孔３２ａの方が真円に近いのに対して、左側のガイド孔３２ｂの方が長くされて逃げが大きく取られている（即ち、Ｄａ＜Ｄｂ）。
【００３５】
このような構成によれば、圧縮スプリング３８による圧力や反りによる変形が樹脂製の加圧板３２に発生しても、ガイドシャフト３７ａ，３７ｂが長孔形状のガイド孔３２ａ，３２ｂに従い用紙幅方向に逃げるので昇降動作の摺動性が損なわれるようなことはなく、加圧動作（給紙圧の確保）が所期通りに行われる。これにより、良好なる給紙性能が発揮される。さらには、右側基準なる片側基準に対応させて、左側のガイド孔３２ｂの長孔程度を大きくしているので（逃げを大きくしているので）、寸法のばらつきがあっても、支障なく対応可能となる。
【００３６】
さらに、図７及び図８を参照して第３の特徴的な構成例について説明する。図７及び図８は給紙コロ付近の構成例を拡大して示す縦断正面図である。これらの図においては、給紙コロ３１の軸方向両側に設けられた当該給紙コロ３１よりも小径なガイドコロ４１（図２等参照）のうち、左側のガイドコロ４１を省略して示す。まず、給紙コロ３１はその１回転中でフリクションパッド３３に接触しない部分を持つように円形状断面の一部を断面Ｄ状に切り欠いた形状のゴム製の高摩擦係数部３１ａを有する構造として構成されている。さらに、このような高摩擦係数部３１ａに対して回転方向（時計方向）直前の上流側位置の切り欠き部には樹脂により形成されることにより、高摩擦係数部３１ａよりも相対的に摩擦係数の低い低摩擦係数部３１ｂが設けられている。この低摩擦係数部３１ｂの外周部は切り欠き部のうち、１／４〜１／３程度の長さとされ、その先頭部分Ａがガイドコロ４１と同径又はそれよりも小さい径として形成され、高摩擦係数部３１ａにつながる後尾部分Ｂに向けてその径が徐々に大きくなり、後尾部分Ｂでは高摩擦係数部３１ａ（給紙コロ３１）と同径又はやや小さい径となるように形成されている。
【００３７】
なお、図２等に示すように、給紙コロ３１の軸端には給紙コロ位置規制部材４２が固定されており、この給紙コロ位置規制部材には引張りスプリング４３が掛けられており、給紙コロ軸３４を時計回りに付勢している。また、給紙コロ位置規制部材４２には突起４２ａが形成されており、その突起４２ａにＤＣソレノイドのフラッパが引掛り、給紙コロ軸３４が回転するのを規制している。ＤＣソレノイドがＯＮすると、引張りスプリング４３により給紙コロ軸３４が回転する仕組みになっている。一方、反対側では、給紙コロ軸３４に欠歯ギヤが取り付いており、待機位置では駆動入力ギヤに対して、欠歯ギヤの歯がない部分が対応しているため、駆動は連結しないが、前述のＤＣソレノイドがＯＮし、給紙コロ軸３４が回転すると、欠歯ギヤと入力ギヤとが噛合って、所定の回転数で１回転する。１回転するとまた、待機位置に戻る仕組みとなっている。また、給紙コロ軸３４にはカム（図示せず）が固定されており、このカムの作用によって、加圧板３２が上下する仕組みとされている。
【００３８】
このような構成において、図７は待機時の停止位置状態を示す。この状態で図８（ａ）に示すように給紙コロ３１が回転を始め、ガイドコロ４１とフリクションパッド３３とのニップ位置Ｎに低摩擦係数部３１ｂの先頭部分Ａが到達した後で、この低摩擦係数部３１ｂの径が徐々に大きくなる外周部分がフリクションパッド３３と接触を開始するようになる。この際、接触するのは低摩擦係数部３１ｂであり用紙Ｐに対して給紙作用は示さない。その後、図８（ｂ）に示すように、カム作用と加圧板３２とにより、積載用紙中の最上位紙が低摩擦係数部３１ｂの後尾部分Ｂに引き続き給紙コロ３１の高摩擦係数部３１ａの外周面に接触を開始するようになる。よって、ガイドコロ４１とフリクションパッド３３とのプレ分離作用によりニップ位置Ｎまで進入した２枚目以降の用紙Ｐの先端が、低摩擦係数部３１ｂによってフリクションパッド３３に押し付けられた状態のまま、次の給紙が開始されるので、重送を防止することができる。よって、プレ分離効果を損なうことなく、重送を防止することができ、よって、安定した給紙を可能にすることができる。
【図面の簡単な説明】
【００３９】
【図１】本発明が適用されるフルカラー画像形成装置の全体的な構成を概略的に示す縦断正面図である。
【図２】手差しトレイを開放させた状態で給紙装置部分を抽出して示す斜視図である。
【図３】その手差しトレイ部分を取り外して示す斜視図である。
【図４】給紙コロ等を省略して中央部分を拡大して示す斜視図である。
【図５】給紙コロ等を省略して示す斜視図である。
【図６】加圧板部分を拡大して示す平面図である。
【図７】給紙コロ付近の構成例を拡大して示す停止位置状態の縦断正面図である。
【図８】給紙コロ付近の構成例を拡大して動作例を示す縦断正面図である。
【図９】従来の給紙装置例示す概略正面図である。
【符号の説明】
【００４０】
２      画像形成部
３０      給紙装置
３１      給紙コロ
３１ａ    高摩擦係数部
３１ｂ    低摩擦係数部
３２      加圧板
３３      フリクションパッド、分離手段
３４      軸
３５      支持構造体
３５ｃ    孔、軸支部
３５ｄ    取り付け部、支持部
３６      軸受
３７      ガイドシャフト、ガイド部
４１      ガイドコロ
【図１】
2005194082.tif 000003
【図２】
2005194082.tif 000004
【図３】
2005194082.tif 000005
【図４】
2005194082.tif 000006
【図５】
2005194082.tif 000007
【図６】
2005194082.tif 000008
【図７】
2005194082.tif 000009
【図８】
2005194082.tif 000010
【図９】
2005194082.tif 000011